(57)【要約】【課題】本発明は、管に曲げ応力が集中して管が破損することを防ぎ、排水の流れに乱れが生じて水撃現象が発生したり、管が詰まりやすくなるのを防止することを課題とする。【解決手段】取付板３と、該取付板３に枢着されるガイド板５とからなり、該取付板３は基礎２に取付けられ、該ガイド板５には管６が装着されるガイドバンド７Ａが取付けられている管ガイド部材１Ａを提供する。該管ガイド部材１Ａを用いて配管する場合には、該管ガイド部材１Ａを基礎２に該管ガイド部材１Ａの取付板３を介して取付け、該管ガイド部材１Ａのガイド板５を回動させて配管方向に合わせた上で該ガイド板５のガイドリング７Ａに管６を装着する。【選択図】　　図１
2004084843.tif 000002
【特許請求の範囲】
【請求項１】
取付板と、該取付板に枢着されるガイド板とからなり、該取付板は基礎に取付けられ、該ガイド板には管が装着されるガイドバンドが取付けられていることを特徴とする管ガイド部材。
【請求項２】
請求項１に記載の管ガイド部材を基礎に該管ガイド部材の取付板を介して取付け、該管ガイド部材のガイド板を回動させて配管方向に合わせた上で該ガイド板のガイドバンドに管を装着することを特徴とする配管方法。
【請求項３】
該基礎は建物内基礎であり、該管は建物内排水設備より集中ますに至る排水管であり、該排水管は該内基礎に設けられている人通孔を介して配管され、該管ガイド部材は該内基礎の人通孔の一方の端角部に取付けられている請求項２に記載の配管方法。
【請求項４】
該排水管は可撓管である請求項３に記載の配管方法。
【発明の詳細な説明】
【０００１】
【発明の属する技術分野】
本発明は、主として建物内排水配管に適用される管ガイド部材および該管ガイド部材を使用した配管方法に関するものである。
【０００２】
【従来の技術】
例えば台所、浴場、洗面所、便所等の建物内排水設備（１０）からの排水は、排水管（６）　を介して建物内床下に配置される集中ます（１１）へ送られ、該集中ます（１１）から建物外の排水ます（１２）へ送られて、該排水ます（１２）から公共ます（図示せず）を介して公共の下水道（図示せず）へ送られる（図７参照）。通常、該排水管（６）　には可撓管が使用され、該排水管（６）　は建物内基礎（２）　に設けられている人通孔（８）　を利用して配管されることが一般であった。
そこで、従来、図６および図７に示すように、建物内基礎（２）　の人通孔（８）　設定個所の一方の端角部に、取付杆（３Ｐ）と該取付杆（３Ｐ）に取付けられているガイドバンド（７Ｐ）とからなる管ガイド部材（１Ｐ）を取付け、該ガイドバンド（７Ｐ）に排水管（６）　を通してガイドする配管方法が提供されている。
【０００３】
【発明が解決しようとする課題】
しかしながら上記従来の構成では、管ガイド部材（１Ｐ）のガイドバンド（７Ｐ）の向きを調節することが出来ないので、可撓管である排水管（６）　を彎曲させてガイドバンド（７Ｐ）に装着することとなり、管を無理に曲げると、その部分に曲げ応力が集中して管が破損しやすいという問題があった。更に、管の曲がり部分では、排水の流れに乱れが生じて、水撃現象が発生したり、管が詰まりやすくなるという問題があった。
【０００４】
【課題を解決するための手段】
本発明は上記従来の課題を解決するための手段として、取付板（３）　と、該取付板（３）　に枢着されるガイド板（５）　とからなり、該取付板（３）　は基礎（２）　に取付けられ、該ガイド板（５）　には管（６）　が装着されるガイドバンド（７Ａ，７Ｂ）　が取付けられている管ガイド部材（１Ａ，１Ｂ）　を提供するものである。
また、上記管ガイド部材（１Ａ，１Ｂ）　は、該管ガイド部材（１Ａ，１Ｂ）　を基礎（２）　に該管ガイド部材（１Ａ，１Ｂ）　の取付板（３）　を介して取付け、該管ガイド部材（１Ａ，１Ｂ）　のガイド板（５）　を回動させて配管方向に合わせた上で該ガイド板（５）　のガイドバンド（７Ａ，７Ｂ）　に管（６）　を装着する配管方法に使用されて有用である。
該基礎は建物内基礎（２）　であり、該管は建物内排水設備（１０）より集中ます（１１）に至る排水管（６）　であり、該排水管（６）　は該内基礎（２）　に設けられている人通孔（８）　を介して配管され、該管ガイド部材（１Ａ，１Ｂ）　は該内基礎（２）　の人通孔（８）　の一方の端角部に取付けられていることが望ましく、更に、該排水管（６）　は可撓管であることが望ましい。
【０００５】
【作用】
取付板（３）　に枢着されたガイド板（５）　を回動させて、ガイド板（５）　を所望な配管方向に合わせ、その上でガイド板（５）　のガイドバンド（７Ａ，７Ｂ）　に管（６）　を装着するので、管（６）　を無理に曲げることなく直線的に配管することが可能となる。
【０００６】
【発明の実施の形態】
〔実施例１〕
本発明を図１および図２に示す一実施例によって説明する。図１に示すように、管ガイド部材（１Ａ）は、建物内基礎（２）　に取付けられる取付板（３）　と、蝶番（４）　を介して該取付板（３）　に枢着されるガイド板（５）　とからなり、該ガイド板（５）　には可撓管である排水管（６）　が装着されるリング状のガイドバンド（７Ａ）が取付けられている。
【０００７】
図２に示すように、管ガイド部材（１Ａ）は、建物内基礎（２）　に設けられている人通孔（８）　の一方の端角部に該管ガイド部材（１Ａ）の取付板（３）　をコンクリートネジ（９）　でねじ止めすることによって取付けられており、例えば台所、浴場、洗面所、便所等の建物内排水設備（１０）より集中ます（１１）に至る排水管（６）　は、該管ガイド部材（１Ａ）のガイド板（５）　を回動させて配管方向に合わせた上で該ガイド板（５）　のガイドバンド（７Ａ）に装着され、排水設備（１０）と集中ます（１１）との間において支持されている。
【０００８】
そして、建物内排水設備（１０）からの排水は、排水管（６）　を介して建物内床下に配置される集中ます（１１）へ送られ、該集中ます（１１）から建物外の排水ます（１２）へ送られて、該排水ます（１２）から公共ます（図示せず）を介して公共の下水道（図示せず）へ送られる（図２参照）。
【０００９】
上記のように、取付板（３）　に蝶番（４）　を介して枢着されたガイド板（５）　を回動させて、ガイド板（５）　を所望な配管方向に合わせ、その上でガイド板（５）　のガイドバンド（７Ａ）に排水管（６）　を装着することにより、排水管（６）　を無理に曲げることなく直線的に配管することが可能となる。
したがって、排水管（６）　に曲げ応力が集中して排水管（６）　が破損することがなく、排水の流れに乱れが生じて水撃現象が発生したり、排水管（６）　が詰まりやすくなることがない。
【００１０】
〔実施例２〕
図３〜図５には他の実施例が示される。図３および図４に示すように、管ガイド部材（１Ｂ）は、建物内基礎（２）　に取付けられる取付板（３）　と、蝶番（４）　を介して該取付板（３）　に枢着されるガイド板（５）　とからなり、該ガイド板（５）　には排水管（６）　が装着される略Ｕ字状のガイドバンド（７Ｂ）の一端がヒンジ（１３）を介して回動可能に取付けられている。
該ガイドバンド（７Ｂ）の他端には係止爪（１４）を有する差し込みピン（１５）が設けられており、該ガイドバンド（７Ｂ）の内周面には可撓管である排水管（６）　外周面に設けられている凹部（図示せず）に嵌合するリブ（１６）が凸設されている。
【００１１】
本実施例では、排水管（６）　を管ガイド部材（１Ｂ）に取付ける場合に、該ガイドバンド（７Ｂ）を回動させて一端側を半開き状態にし、他端側から可撓管である排水管（６）　を挿入する。その後、該ガイドバンド（７Ｂ）を回動させて該ガイドバンド（７Ｂ）他端の差し込みピン（１５）をガイド部材に設けられたピン孔（１７）に差し込み係止するとともに、該ガイドバンド（７Ｂ）内周面のリブ（１６）を排水管（６）　外周面の凹部に嵌合させる（図４参照）。
このようにして排水管（６）　を管ガイド部材（１Ｂ）に取付けることにより、簡単かつ確実に排水管（６）　をガイドバンド（７Ｂ）で保持することが出来る。また、該管ガイド部材（１Ｂ）に保持された該排水管（６）　は該ガイドバンド（７Ｂ）に対して摺動することが阻止される。
【００１２】
図５に示すように、管ガイド部材（１Ｂ）は、建物内基礎（２）　に該管ガイド部材（１Ｂ）の取付板（３）　をコンクリートネジ（９）　でねじ止めすることによって取付けられており、建物内排水設備（１０）より集中ます（１１）に至る排水管（６）　は、該ガイド板（５）　のガイドバンド（７）　に装着されて排水設備（１０）と集中ます（１１）との間において支持されている。
この場合、該管ガイド部材（１Ｂ）のガイド板（５）　を回動させることが出来るため、可撓管である排水管（６）　を無理に曲げることなく該排水管（６）　の曲率を大きくすることが可能となる。
【００１３】
本実施例以外、該管ガイド部材（１Ｂ）のガイドバンド（７Ｂ）の両端を差し込みピン（１５）を用いてガイド板（５）　に取付けてもよく、また、該ガイドバンド（７Ｂ）の一端または両端をガイド板（５）　にねじ止めして取付けてもよい。
【００１４】
以上、本発明の実施の形態を実施例により説明したが、本発明の範囲はこれらに限定されるものではなく、請求項に記載された範囲内において目的に応じて変更・変形することが可能である。
例えば、管ガイド部材（１Ａ，１Ｂ）　の取付板（３）　は、接着剤を用いて建物内基礎（２）　に取付けられていてもよい。
【００１５】
【発明の効果】
本発明では、管を無理に曲げることなく直線的に配管することが出来るため、管に曲げ応力が集中して管が破損することがなく、排水の流れに乱れが生じて水撃現象が発生したり、管が詰まりやすくなることがない。
【図面の簡単な説明】
図１および図２は本発明の一実施例を示すものである。
【図１】管ガイド部材の斜視図である。
【図２】管ガイド部材を用いて排水管を配管した様子を示す説明平面図である。
図３〜図５は本発明の他の実施例を示すものである。
【図３】管ガイド部材の斜視図である。
【図４】管ガイド部材の説明側断面図である。
【図５】管ガイド部材を用いて排水管を配管した様子を示す説明平面図である。
図６および図７は従来例を示すものである。
【図６】従来の管ガイド部材の斜視図である。
【図７】従来の管ガイド部材を用いて排水管を配管した様子を示す説明平面図である。
【符号の説明】
１Ａ，１Ｂ　　　　管ガイド部材
２　　　　　　基礎（建物内基礎）
３　　　　　　取付板
４　　　　　　蝶番
５　　　　　　ガイド板
６　　　　　　管（排水管）
７Ａ，７Ｂ　　　　ガイドバンド
８　　　　　　人通孔
９　　　　　　コンクリートネジ
１０　　　　　排水設備
１１　　　　　集中ます
１２　　　　　排水ます
【図１】
2004084843.tif 000003
【図２】
2004084843.tif 000004
【図３】
2004084843.tif 000005
【図４】
2004084843.tif 000006
【図５】
2004084843.tif 000007
【図６】
2004084843.tif 000008
【図７】
2004084843.tif 000009